(57)【要約】【課題】  梁材に複数枚の床版が架設されて構成される床構造における前記床版にインサートを取り付けるための床版用インサート取付構造及びその取付方法を提供する。【解決手段】  複数枚の床版３ａ、３ｂがそれぞれ隣接することによって床版間に形成される溝状の目地部３０に、前記隣接する二つの床版３ａ、３ｂの上面に載架される支持板５と、前記支持板５に垂下され、かつその長さが床版の厚みより長いボルト７とからなるインサート１が垂設されてなる。【選択図】  図１
2006257776.tif 000002
【特許請求の範囲】
【請求項１】
梁材に複数枚の床版が架設されてなる床構造における前記床版へのインサートの取付構造であって、
前記複数枚の床版がそれぞれ隣接することによって床版間に形成される溝状の目地部に、
隣接する二つの床版の上面に載架される支持板と、前記支持板に垂下されかつその長さが床版の厚みより長いボルトとからなるインサートが垂設され、
前記インサートの上部に床材が配設されてなることを特徴とする床版用インサート取付構造。
【請求項２】
前記インサートにおける支持板が、正方形、長方形、円形、楕円形あるいは５角形以上の多角形から選ばれるいずれかの形状を持つ鋼製板であって、その一辺、短辺、直径、短径あるいは対角線のいずれかの長さが前記目地部の幅の２〜２０倍であることを特徴とする請求項１に記載の床版用インサート取付構造。
【請求項３】
前記インサートの上部に配設される床材が、打設コンクリートであることを特徴とする請求項１又は２に記載の床版用インサート取付構造。
【請求項４】
前記インサートの上部に配設される床材が、モルタル塗りによるものであることを特徴とする請求項１又は２に記載の床版用インサート取付構造。
【請求項５】
前記インサートの上部に配設される床材が、じゅうたん、カーペット、タイル、木製床材又は畳などの敷物であることを特徴とする請求項１又は２に記載の床版用インサート取付構造。
【請求項６】
前記インサートが垂設される床版が、プレストレストコンクリート床版であることを特徴とする請求項１〜５のいずれか１項に記載の床版用インサート取付構造。
【請求項７】
前記インサートが垂設される床版が、軽量気泡コンクリート床版であることを特徴とする請求項１〜５のいずれか１項に記載の床版用インサート取付構造。
【請求項８】
前記インサートが、長さが床版の厚みより長いボルトの上方に支持板をナットで固着して形成されたものであることを特徴とする請求項１〜７のいずれか１項に記載の床版用インサート取付構造。
【請求項９】
前記インサートが、長さが床版の厚みより長いボルトの上端に支持板を溶接して形成されたものであることを特徴とする請求項１〜７のいずれか１項に記載の床版用インサート取付構造。
【請求項１０】
梁材に複数枚の床版が架設されてなる床構造におけるインサートの取付方法であって、
梁材に複数枚の床版を架設する際、それぞれ隣接する床版間に溝状の目地部を形成し、前記目地部に、
隣接する二つの床版の上面に載架される支持板と、前記支持板に垂下されかつその長さが床版の厚みより長いボルトとからなるインサートを垂設し、
さらに前記インサートの上部に床材を配設することを特徴とする床版用インサートの取付方法。
【発明の詳細な説明】
【技術分野】
【０００１】
本発明は、梁材に複数枚の床版が架設されてなる床構造において前記床版にインサートを取り付ける、床版用インサート取付構造及びその取付方法に関する。
【背景技術】
【０００２】
建築物に空調用ダクトを敷設したり配管を施したりする場合、従来は、天井や床材下面に吊り元部材を設置し、前記吊り元部材に吊りボルト等の吊設具を取り付け、同吊りボルト等の吊設具に空調用ダクトや配管を支持させる方法が採用されてきた。
ところが近年、コンクリートパネル等予め工場で生産された床版部材を梁材に架設し、その上にコンクリートを打設して合成床としたり、また、床版の上にモルタルを塗布したり、じゅうたんやカーペットなどを敷いたりした床構造の建築物が増加している。
前記のような床構造に採用されるコンクリートパネルとしては、プレストレストコンクリートパネルや、軽量発泡コンクリートパネルなどがある。
そして、このコンクリートパネル上にコンクリートを打設して合成床を形成する場合には、梁材に架設した複数枚のコンクリートパネル上に補強筋を配筋し、そこにコンクリートを打設する。
【０００３】
このような床構造の下部に空調用ダクトの敷設や配管を行うための吊りボルト等の吊設具を取り付ける場合には、図５の従来の床版用インサート取付方法の説明図の（ａ）にその一例を示すように、合成床２を構成するコンクリートパネル１９ａにドリル等で穿設された孔１５にインサートボルト１６を挿入し、該インサートボルト１６下部に螺着された吊り金具１０に吊りボルト１１を螺入して取り付けたり、他の例として図５（ｂ）に示すように、コンクリートパネルの下面にホールインアンカー１７を打ち込み、このホールインアンカー１７に吊りボルト１１を螺入して取り付けたりという方法が採用されている。
また、図５（ｃ）に示すような専用のインサート１８が用いられる場合もある。この専用のインサート１８は、コンクリートパネル１９ａとコンクリートパネル１９ｂの連結部となる目地部３０に鋼板を折って形成されたインサート１８を挿入し、前記専用インサート１８に吊りボルト１１を取り付けるというものである。
コンクリートパネル１９ａとコンクリートパネル１９ｂの間に形成される目地部３０には、コンクリート４の打設時に、コンクリートが充填される。そのため、目地部３０に充填されるコンクリートが下に流れ出ないように、隙間のないように配置される。専用インサート１８は、目地部３０にコンクリートが打設される前に挿入されて取り付けられる。
【非特許文献１】日本スパンクリート協会  カタログ（技術資料）「スパンクリート」床・屋根  １９頁・２０頁
【発明の開示】
【発明が解決しようとする課題】
【０００４】
一般的に床材を構成するコンクリートパネルは、強度の問題からプレストレストコンクリートパネルで構成されることが多い。プレストレストコンクリートパネルには予めパネル内に緊張された緊張材が配設されている。
また、軽量発泡コンクリートからなるパネルの場合にも、強度保持用の鉄筋が配設される場合がある。
前記緊張材や鉄筋はコンクリートパネルの品質を高めるものであり、緊張材や鉄筋を損傷するとコンクリートパネルの品質低下を招くので、コンクリートパネルの任意の場所にドリル等で孔をあけることはできない。そのため、図５（ａ）に示したインサートボルト１６を挿入するための孔１５を穿設する場合には、緊張材や鉄筋を回避できる個所を調べて、墨出しした後でなければ施工できないという問題がある。
【０００５】
また、同様の理由により、図５（ｂ）に示したホールインアンカー１７も長いものは使えず、緊張材や鉄筋等に損傷を与えない短いものしか使用できず、所定の強度を保持するために、アンカー１７の数を増やさざるを得ないという問題がある。
一方、図５（ｃ）に示すような専用のインサート１８の場合、コンクリートパネルの連結部である目地部３０にインサート１８を挿入しているだけであり、ボルト等による締着がなく耐荷重が低く、重量の重いものは吊り下げられないという問題がある。
【課題を解決するための手段】
【０００６】
本発明は、上記の課題を下記の手段によって解決したものである。
（１）梁材に複数枚の床版が架設されてなる床構造における前記床版へのインサートの取付構造であって、
前記複数枚の床版がそれぞれ隣接することによって床版間に形成される溝状の目地部に、
隣接する二つの床版の上面に載架される支持板と、前記支持板に垂下されかつその長さが床版の厚みより長いボルトとからなるインサートが垂設され、
前記インサートの上部に床材が配設されてなることを特徴とする床版用インサート取付構造。
（２）前記インサートにおける支持板が、正方形、長方形、円形、楕円形あるいは５角形以上の多角形から選ばれるいずれかの形状を持つ鋼製板であって、その一辺、短辺、直径、短径のいずれかの長さが前記目地部の幅の２〜２０倍であることを特徴とする前項（１）に記載の床版用インサート取付構造。
【０００７】
（３）前記インサートの上部に配設される床材が、打設コンクリートであることを特徴とする前項（１）又は（２）に記載の床版用インサート取付構造。
（４）前記インサートの上部に配設される床材が、モルタル塗りによるものであることを特徴とする前項（１）又は（２）に記載の床版用インサート取付構造。
（５）前記インサートの上部に配設される床材が、じゅうたん、カーペット、タイル、木製床材又は畳などの敷物であることを特徴とする前項（１）又は（２）に記載の床版用インサート取付構造。
【０００８】
（６）前記インサートが垂設される床版が、プレストレストコンクリート床版であることを特徴とする前項（１）〜（５）のいずれか１項に記載の床版用インサート取付構造。
（７）前記インサートが垂設される床版が、軽量気泡コンクリート床版であることを特徴とする前項（１）〜（５）のいずれか１項に記載の床版用インサート取付構造。
（８）前記インサートが、長さが床版の厚みより長いボルトの上方に支持板をナットで固着して形成されたものであることを特徴とする前項（１）〜（７）のいずれか１項に記載の床版用インサート取付構造。
（９）前記インサートが、長さが床版の厚みより長いボルトの上端に支持板を溶接して形成されたものであることを特徴とする前項（１）〜（７）のいずれか１項に記載の床版用インサート取付構造。
【０００９】
（１０）梁材に複数枚の床版が架設されてなる床構造におけるインサートの取付方法であって、
梁材に複数枚の床版を架設する際、それぞれ隣接する床版間に溝状の目地部を形成し、前記目地部に、
隣接する二つの床版の上面に載架される支持板と、前記支持板に垂下されかつその長さが床版の厚みより長いボルトとからなるインサートを垂設し、
さらに前記インサートの上部に床材を配設することを特徴とする床版用インサートの取付方法。
【発明の効果】
【００１０】
本発明によれば、複数枚の床版がそれぞれ隣接することによって床版間に形成される溝状の目地部に、隣接する二つの床版の上面に載架される支持板と前記支持板に垂下されかつその長さが床版の厚みより長いボルトとからなるインサートが垂設されるので、床版にドリル等で穿孔することなく、容易にインサートを設置することができ、作業性の向上を図ることができる。
また、本発明によるインサートの取付は、床版にアンカーの打ち込みやドリルによる穿孔などの作業が不要となるので、天井面に対する作業等高所での作業が減り、安全でかつ効率のよい施工が可能となる。
そして、本発明におけるインサートは、床版上面に載架される支持板を正方形、長方形、円形、楕円形あるいは５角形以上の多角形から選ばれるいずれかの形状を持つ鋼製板とし、その一辺、短辺、直径、短径あるいは対角線のいずれかの長さを目地部の幅の２〜２０倍とするので、耐荷重を大きくすることができ、吊りボルトの本数を減らすことができる。
【００１１】
さらに、本発明は、複数枚の床版がそれぞれ隣接することによって形成される溝状の目地部にインサートを取り付ける構造となっているので、床版がプレストレストコンクリート床版や軽量気泡コンクリート床版であっても、床版中の緊張材や鉄筋等を損傷することがないので、床版の品質を損なうことなく、目地上の任意の位置にインサートを取り付けることができる。
【００１２】
そして、本発明におけるインサートは、長さが床版の厚みより長いボルトの上方に支持板をナットで固着して、また長さが床版の厚みより長いボルトの上端に支持板を溶接して形成することができるので、特別な材料を使用することなく、低コストで取付容易な耐荷重の高いインサートを提供することができる。
また、床版上にコンクリートを打設する合成床はもちろん、インサート頭部を平らに形成することもできるので、床版上に配設される床材がモルタルの場合や、じゅうたんやタイル、木製床材あるいは畳等の場合にも採用できる。
【発明を実施するための最良の形態】
【００１３】
本発明の床版用インサート取付構造は、梁材に複数枚の床版が架設されてなる床構造におけるインサートの取付にかかわるものである。
本発明の床版用インサート取付構造は、梁材に複数枚を架設・配置する床版であればどのような構造のものにも適用できるが、特にプレストレストコンクリート床版や軽量気泡コンクリート床版などに好適である。
ここで、インサートは、床版の下部に空調用ダクトを敷設したり配管を施したりする際に空調用ダクトや配管を吊り下げるための吊りボルトを取り付ける吊り元となる部材であり、隣接する両床版の上面に載架される支持板と、前記支持板に垂下されかつその長さが床版の厚みより長いボルトからなる。そして前記ボルトは、その床版下部から突出した部分に吊りボルトと接続するための吊り金具等が取り付けられるので、前記吊り金具を取り付けられる程度の長さを備えるものとなっている。
インサートは、例えば、床版の厚みより長いボルトの上方に支持板がナットで固着されて形成されるものや、床版の厚みより長いボルトの上端に支持板が溶接されて形成されるものなどがある。
【実施例】
【００１４】
本発明の床版用インサート取付構造及びその取付方法について、図に基づいて説明する。
図１は、本発明の床版用インサート取付構造の説明用図面、図２は本発明の床版用インサート取付構造におけるインサートの説明用斜視図、図３は本発明の床版用インサートの取付方法の説明用断面図、図４は本発明の床版用インサート取付構造の実施例の斜視図、図５は従来の床版へのインサートの取付方法を示す説明図である。
図中、１、１’、１ａ、１ｂはインサート、２は合成床、３ａ、３ｂは床版、４はコンクリート、５、５’、５ａ、５ｂは支持板、６はナット、７、７’はボルト、８はドリル、９は梁材、１０は吊り金具、１１は吊りボルト、１２は空調用ダクト、１５は孔、１６はインサートボルト、１７はホールインアンカー、１８は専用インサート、１９ａ、１９ｂはコンクリートパネル、３０は目地部である。
【００１５】
本発明の床版用インサート取付構造は、図１の本発明の床版用インサート取付構造の説明用図面に示すように、合成床２を構成する床版３ａと床版３ｂの間に形成される溝状の目地部３０に、インサート１が挿入されて構成される。
インサート１は、床版３ａ及び床版３ｂの上面に載架される支持板５と、前記支持板５から垂下され、かつ床版３ａ及び床版３ｂの厚みより長い長さのボルト７を備えている。
インサート１のボルト７の下端部は、合成床１の下部に取り付けられる吊りボルト等との接続用の吊り金具１０（図４参照）が取り付けられる部分であり、図においては全長にわたりボルト７は雄ネジが螺刻されている。
ボルト７のネジは、床版３ａ、３ｂから突出する部分のみ螺刻されていてもよいが、全長にネジが螺刻してある長尺の鋼棒を現場で床版３ａ、３ｂの厚みに合わせて切断して使用できる利便さから図１に示した全長にわたってねじが螺刻されたボルト７を用いるのが好ましい。
そしてインサート１のボルト７は、支持板５にナット６で固着される。
【００１６】
支持板５は、床版３ａ、３ｂの上面に確実に載架できる程度の大きさを備えた鋼製などの強固な材料で作られ、かつ適度な厚みがあるものを採用してインサート１の耐荷重を高めている。支持板５の厚さとしては、例えば５〜６ｍｍ程度の鋼材が好適である。
また、本発明におけるインサート１の支持板５は、その形状が正方形、長方形、円形、楕円形、あるいは５角形以上の多角形のいずれかであり、その大きさは、その一辺、短辺、直径、短径あるいは対角線の長さが目地部３０の幅の２〜２０倍程度、好ましくは４〜１０倍程度のものである。
本実施例においては、目地部３０の幅がおよそ２０ｍｍで、支持板５は５０ｍｍ×２００ｍｍで構成されている。
【００１７】
支持板５の面積を大きくすることにより、インサート１の支持板５と、床版３ａ、３ｂとの接触面積が必然的に大きくなり、インサート１の耐荷重を大きくすることができる。したがって、インサート１に吊り下げられる吊りボルト等の荷重に合わせて、支持板５の大きさを適宜変更することができる。
また、支持板５の面積を大きくすることにより、インサート１設置後に床版３ａ、３ｂの上に打設されるコンクリート４との接地面積も大きくなり、さらにインサート１の耐荷重を高めることができるものとなっている。
なお、先に例示した支持板５の厚さや大きさは、例示した値に限られるものではなく、下部に取り付けられる空調用ダクトや配管の量や重さなどを考慮して、適宜選択されるべきものである。
【００１８】
図２−１、図２−２はいずれも本発明の床版用インサート取付構造におけるインサートの説明用斜視図であり、図２−１は支持板が長方形の場合を示し、図２−２は支持板が円形もしくは楕円形の場合を示している。いずれも（ａ）に示すインサート１、１ａは支持板５、５ａがボルト７にナット６、６で挟持・固着されている。
図２−１、図２−２のいずれも（ｂ）に示すインサート１’、１ｂは、床版３ａ、３ｂ（図１参照）の厚さより長いボルト７’の上端に支持板５’、５ｂが溶接されて構成されている。このインサート１’、１ｂは、支持板５’、５ｂの上面にボルトやナット等の突起物がなく平らに構成されているので、床版３ａ、３ｂの上面にコンクリート等を打設せず、モルタルを塗ったり、じゅうたんやタイルなどの床材を敷設する床構造の場合に好適である。
支持板５、５’、５ａ、５ｂは、インサート１、１’、１ａ、１ｂが十分な耐荷重を備えるため、床版３ａ、３ｂの上面に確実に載架できる大きさが必要であり、その大きさは一辺（図２−１の場合）、あるいは直径、長径（図２−２の場合）の長さが目地部３０の幅の２〜２０倍程度、好ましくは４〜１０倍程度のものである。
【００１９】
本発明の床版用インサートの取付方法としては、図３の本発明の床版用インサートの取付方法の説明用断面図に示すように、
（ａ）まず、梁材９（図４参照）に架設された隣接する複数枚の床版３ａ、３ｂの間に形成された溝状の目地部３０に、
（ｂ）インサート１のボルト７が垂設できるように、床版３ａ、３ｂの最端部をドリル８等で削孔する。
（ｃ）次いで前記削孔された目地部３０に、隣接する両床版３ａ、３ｂの上面に載架される支持板５と、前記支持板５から垂下され、かつその長さが床版３ａ、３ｂの厚みより長いボルト７とからなるインサート１を垂設し、
（ｄ）床版３ａ、３ｂの上にコンクリートを打設して、インサート１の取付は完了する。
【００２０】
本発明のインサート取付構造においては、インサート１を垂設するために床版３ａ、３ｂの最端部を削ることになるが、床版３ａ、３ｂ内の緊張材や鉄筋等は、最端部にまでは配設されておらず、緊張材や鉄筋等を損傷することはない。また、ドリル８等による作業は、作業者が床版３ａ、３ｂの上から行えるので、高所での作業とはならず、安定した状態で安全に作業できる。
【００２１】
図４は、本発明の床版用インサート取付構造の実施例の斜視図であり、梁材９、９に架設された複数枚の床版３ａ、３ｂ、３ｃが、それぞれ隣接することによって形成される床版間の溝状の目地部３０に、インサート１が垂設され、インサート１のボルト７には、吊り金具１０を介して吊りボルト１１が取り付けられ、空調用ダクト１２や配管が、床版下部に吊り下げられる。
本発明において、インサート１は複数枚の床版３ａ、３ｂ、３ｃによって形成される床版間の溝状の目地部３０に垂設されて取り付けられているので、床版３ａ、３ｂ・・にドリル等で孔を穿設することなく、容易にインサート１を設置することができる構成となっている。
そして、インサート１は、床版上面に載架される支持板５を、その一辺を目地部３０の幅の２〜２０倍の長さで形成し、床版３ａ、３ｂ・・・との接触面積を大きくして耐荷重を大きくしている。
合成床２の場合は、インサート１を垂設後、コンクリート４が打設され、インサート１の周囲となる目地部３０は、コンクリート４で充填されるので、インサート１は、さらに強固に床版３ａ、３ｂ・・・に固着される。
【００２２】
図４に示す実施例は、床版３ａ、３ｂ・・・の上にコンクリート４を打設する合成床２の場合を示しているが、インサート１を、支持板５’とボルト７’を溶接したインサート１’（図２参照）を採用すれば、インサート１’の頭部を平らに形成できるので、床版３ａ、３ｂ・・・の上にモルタルを塗る床構造や、じゅうたんやタイル等の床材を敷設する床構造に採用することができる。
【図面の簡単な説明】
【００２３】
【図１】本発明の床版用インサート取付構造の説明用図面
【図２−１】本発明の床版用インサート取付構造におけるインサートの説明用斜視図
【図２−２】本発明の床版用インサート取付構造におけるインサートの説明用斜視図
【図３】本発明の床版用インサートの取付方法の説明用断面図
【図４】本発明の床版用インサート取付構造の実施例の斜視図
【図５】従来の床版へのインサートの取付方法を示す説明図
【符号の説明】
【００２４】
１、１’、１ａ、１ｂ  インサート
２    合成床
３ａ、３ｂ  床版
４  コンクリート
５、５’、５ａ、５ｂ  支持板
６    ナット
７、７’  ボルト
９    梁材
１０    吊り金具
１１    吊りボルト
１２    空調用ダクト
１５    孔
１６    インサートボルト
１７    ホールインアンカー
１８    専用インサート
１９ａ、１９ｂ    コンクリートパネル
３０    目地部
【図１】
2006257776.tif 000003
【図２−１】
2006257776.tif 000004
【図２−２】
2006257776.tif 000005
【図３】
2006257776.tif 000006
【図４】
2006257776.tif 000007
【図５】
2006257776.tif 000008